(57)【要約】      （修正有）【課題】携帯電話の重力と簡単な機械原理を利用し、携帯電話を自動的にクランプすることを実現し、構造が簡単で、製造コストを大きく減らす、携帯電話用重力式ホルダを提供する。【解決手段】携帯電話用重力式ホルダであり、ベース１０と、携帯電話を受けるためのプルロッド２０と、携帯電話をクランプするための左クランプアーム３０及び右クランプアーム４０とを含む。ベースには、位置決め軸１１が設けられ、左クランプアーム及び右クランプアームは、両方とも位置決め軸に回転可能に取り付けられる。プルロッドは左クランプアーム及び右クランプアームにそれぞれ動力が伝わるように接続される。使用時、携帯電話をプルロッドに直接置き、携帯電話の重力の作用によって、プルロッドが左クランプアームと右クランプアームを逆方向に回転させ、携帯電話をクランプすることを実現する。【選択図】図１
0003232909.tif 000002
【実用新案登録請求の範囲】
【請求項１】
ベースと、携帯電話を受けるためのプルロッドと、携帯電話をクランプするための左クランプアーム及び右クランプアームとを含んでおり、前記ベースには位置決め軸が設けられており、前記左クランプアーム及び前記右クランプアームは、両方とも前記位置決め軸に回転可能に取り付けられており、前記プルロッドは前記左クランプアーム及び前記右クランプアームにそれぞれ動力が伝わるように接続されており、携帯電話の重力作用によって、前記プルロッドが前記左クランプアームと前記右クランプアームを逆方向に回転させることを特徴とする携帯電話用重力式ホルダ。
【請求項２】
前記左クランプアームは、左クランプロッドと携帯電話をクランプするための第１挟持部とを含んでおり、前記左クランプロッドの一端には、前記第１挟持部が回転可能に取り付けられており、前記左クランプロッドの他端は、第１接続ロッドを介して前記プルロッドに可動に取り付けられており、前記右クランプアームは、右クランプロッドと携帯電話をクランプするための第２挟持部とを含んでおり、前記右クランプロッドの一端には、第２挟持部が回転可能に取り付けられており、前記右クランプロッドの他端は第２接続ロッドを介して位置決め軸に可動に取り付けられていることを特徴とする請求項１に記載の携帯電話用重力式ホルダ。
【請求項３】
前記第１接続ロッドの一端は回転可能に前記左クランプロッドに取り付けられており、他端には、前記プルロッドに回転可能に取り付けられた第１ギアが設けられており、前記第２接続ロッドの一端は回転可能に前記右クランプロッドに取り付けられており、他端には、前記プルロッドに回転可能に取り付けられ前記第１ギアと噛合した第２ギアが設けられていることを特徴とする請求項２に記載の携帯電話用重力式ホルダ。
【請求項４】
前記第１接続ロッドの長さと前記第２接続ロッドの長さが同じであり、前記左クランプロッドの長さと前記右クランプロッドの長さが同じであることを特徴とする請求項２に記載の携帯電話用重力式ホルダ。
【請求項５】
前記第１挟持部と前記第２挟持部は、両方ともローラ又はＵ型挟持ブロックであることを特徴とする請求項２に記載の携帯電話用重力式ホルダ。
【請求項６】
前記左クランプロッドは前記右クランプロッドよりも前記ベースに近い位置にあり、前記第１挟持部が取り付けられた、前記左クランプロッドの一端は、前記ベースから離れる方向に折り曲げられており、前記第２挟持部が取り付けられた、前記右クランプロッドの一端は、ベースに接近する方向に折り曲げられており、前記第１挟持部と前記第２挟持部が同一平面上に位置していることを特徴とする請求項２に記載の携帯電話用重力式ホルダ。
【請求項７】
前記携帯電話用重力式ホルダは、前記ベースと前記プルロッドにそれぞれ接続された弾性復元部をさらに含んでおり、携帯電話の重力作用で、前記プルロッドが下方向に移動し、携帯電話を取り出した後、前記弾性復元部の作用で前記プルロッドが上方向に移動することを特徴とする請求項１に記載の携帯電話用重力式ホルダ。
【請求項８】
前記携帯電話用重力式ホルダは、第３接続ロッドと第４接続ロッドと第５接続ロッドと第６接続ロッドとをさらに含んでおり、前記第３接続ロッドの一端には、前記ベースに回転可能に取り付けられた第３ギアが設けられており、前記第３接続ロッドの他端は、前記第４接続ロッドの一端に回転可能に接続されており、前記第４接続ロッドの他端には、前記プルロッドに回転可能に取り付けられた第４ギアが設けられており、前記第５接続ロッドの一端には、前記プルロッドに回転可能に取り付けられ前記第４ギアと噛合した第５ギアが設けられており、前記第５接続ロッドの他端は、前記第６接続ロッドの一端に回転可能に接続されており、前記第６接続ロッドの他端には、前記ベースに回転可能に取り付けられ前記第３ギアと噛合した第６ギアが設けられていることを特徴とする請求項１〜７のいずれか１項に記載の携帯電話用重力式ホルダ。
【請求項９】
前記第３接続ロッドと前記第４接続ロッドと前記第５接続ロッドと前記第６接続ロッドとは、長さが同じであることを特徴とする請求項８に記載の携帯電話用重力式ホルダ。
【請求項１０】
前記プルロッドは、固定板と携帯電話を受けるための受け部とを含んでおり、前記固定板の一方の側には、前記第４接続ロッドと前記第５接続ロッドが回転可能に取り付けられており、前記固定板の他方の側には、前記受け部が取り付けられていることを特徴とする請求項９に記載の携帯電話用重力式ホルダ。
【考案の詳細な説明】
【技術分野】
【０００１】
本考案は携帯電話の付属品の分野に関し、特に携帯電話用重力式ホルダに関する。
【背景技術】
【０００２】
スマートフォンの普及につれて、運転者が運転中に携帯電話を用いてナビゲーション又は他の携帯電話操作を行う必要がある場合が多くなり、携帯電話ホルダが機運に乗じて現れた。しかし、従来の携帯電話ホルダは、主に電動方式で自動的に携帯電話をクランプすることを実現し、構造が比較的複雑で、故障しやすく、製造コストも高い。したがって、従来の携帯電話ホルダをさらに改良する必要がある。
【考案の概要】
【０００３】
本考案により、解決すべき技術的問題は携帯電話用重力式ホルダを提供することであり、従来の携帯電話ホルダにおいて、構造が複雑で、製造コストが高いという問題を解決する。
【０００４】
上記の技術的問題を解決するために、本考案は以下の技術的解決手段を採用する。ベースと、携帯電話を受けるためのプルロッドと、携帯電話をクランプするための左クランプアーム及び右クランプアームと、を含む携帯電話用重力式ホルダを提供する。ベースに位置決め軸が設けられ、左クランプアーム及び右クランプアームは、両方とも位置決め軸に回転可能に取り付けられる。プルロッドは左クランプアーム及び右クランプアームにそれぞれ動力が伝わるように接続される。携帯電話の重力作用により、プルロッドが左クランプアームと右クランプアームを逆方向に回転させる。
【０００５】
さらに、左クランプアームは、左クランプロッドと携帯電話をクランプするための第１挟持部とを含む。左クランプロッドの一端には、第１挟持部が回転可能に取り付けられ、左クランプロッドの他端は、第１接続ロッドを介してプルロッドに可動に取り付けられる。右クランプアームは、右クランプロッドと携帯電話をクランプするための第２挟持部とを含む。右クランプロッドの一端には、第２挟持部が回転可能に取り付けられ、右クランプロッドの他端は、第２接続ロッドを介して位置決め軸に可動に取り付けられる。
【０００６】
さらに、第１接続ロッドの一端は左クランプロッドに回転可能に取り付けられ、他端には、プルロッドに回転可能に取り付けられた第１ギアが設けられる。第２接続ロッドの一端は回転可能に右クランプロッドに取り付けられ、他端には、プルロッドに回転可能に取り付けられ第１ギアと噛合する第２ギアが設けられる。
【０００７】
さらに、第１接続ロッドの長さと第２接続ロッドの長さが同じであり、左クランプロッドの長さと右クランプロッドの長さが同じである。
【０００８】
さらに、第１挟持部と第２挟持部は、両方ともローラ又はＵ型挟持ブロックである。
【０００９】
さらに、左クランプロッドは右クランプロッドよりもベースに近い位置にある。第１挟持部が取り付けられた、左クランプロッドの一端は、ベースから離れる方向に折り曲げられ、第２挟持部が取り付けられた、右クランプロッドの一端は、ベースに接近する方向に折り曲げられ、これによって、第１挟持部と第２挟持部が同一平面上に位置している。
【００１０】
さらに、携帯電話用重力式ホルダは、ベースとプルロッドにそれぞれ接続された弾性復元部をさらに含む。携帯電話の重力作用で、プルロッドが下方向に移動する。携帯電話を取り出した後、弾性復元部の作用でプルロッドが上方向に移動する。
【００１１】
さらに、携帯電話用重力式ホルダは、第３接続ロッドと第４接続ロッドと第５接続ロッドと第６接続ロッドとをさらに含む。第３接続ロッドの一端には、ベースに回転可能に取り付けられた第３ギアが設けられる。第３接続ロッドの他端は、第４接続ロッドの一端に回転可能に接続される。第４接続ロッドの他端には、プルロッドに回転可能に取り付けられた第４ギアが設けられる。第５接続ロッドの一端には、プルロッドに回転可能に取り付けられ第４ギアと噛合する第５ギアが設けられる。第５接続ロッドの他端は、第６接続ロッドの一端に回転可能に接続される。第６接続ロッドの他端には、ベースに回転可能に取り付けられ第３ギアと噛合する第６ギアが設けられる。
【００１２】
さらに、第３接続ロッドと第４接続ロッドと第５接続ロッドと第６接続ロッドとは長さが同じである。
【００１３】
さらに、プルロッドは、固定板と携帯電話を受けるための受け部とを含む。固定板の一方の側には、第４接続ロッドと第５接続ロッドが回転可能に取り付けられる。固定板の他方の側には、受け部が取り付けられる。
【００１４】
従来技術と比べ、本考案が提供する携帯電話用重力ホルダは、使用時、携帯電話をプルロッドに直接置き、携帯電話の重力作用によって、プルロッドが左クランプアームと右クランプアームを逆方向に回転させ、携帯電話をクランプすることを実現する。携帯電話の重力と簡単な機械原理を利用し、携帯電話を自動的にクランプすることを実現し、構造が簡単で、製造コストを大きく減らす。
【図面の簡単な説明】
【００１５】
以下、図面及び実施形態と併せて、本考案についてさらに説明する。
【図１】図１は、本考案が提供する携帯電話用重力式ホルダの斜視概略図である。
【図２】図２は、図１における携帯電話用重力式ホルダの分解概略図である。
【図３】図３は、図１における携帯電話用重力式ホルダの初期状態概略図である。
【考案を実施するための形態】
【００１６】
以下、図面と併せて、本考案の比較的良好な実施形態について詳細に説明する。
【００１７】
図１と図２に示すように、本考案は、ベース１０と、携帯電話を受けるためのプルロッド２０と、携帯電話をクランプするための左クランプアーム３０及び右クランプアーム４０と、を含んでいる携帯電話用重力式ホルダを提供する。ベース１０には、位置決め軸１１が設けられており、左クランプアーム３０及び右クランプアーム４０は、両方とも位置決め軸１１に回転可能に取り付けられている。プルロッド２０は左クランプアーム３０及び右クランプアーム４０にそれぞれ動力が伝わるように接続されている。使用時、携帯電話をプルロッド２０に直接置き、携帯電話の重力作用によって、プルロッド２０が左クランプアーム３０と右クランプアーム４０を逆方向に回転させ、携帯電話をクランプすることを実現する。携帯電話の重力と簡単な機械原理を利用し、携帯電話を自動的にクランプすることを実現し、構造が簡単で、製造コストを大きく減らす。
【００１８】
さらに、左クランプアーム３０は、左クランプロッド３１と、携帯電話をクランプするための第１挟持部３２とを含んでいる。第１挟持部３２は、左クランプロッド３１の一端に回転可能に取り付けられている。左クランプロッド３１の他端は、第１接続ロッド５１を介してプルロッド２０に可動に取り付けられている。右クランプアーム４０は、右クランプロッド４１と、携帯電話をクランプするための第２挟持部４２とを含んでいる。第２挟持部４２は、右クランプロッド４１の一端に回転可能に取り付けられている。右クランプロッド４１の他端は、第２接続ロッド５２を介して位置決め軸１１に可動に取り付けられている。携帯電話の重力作用により、プルロッド２０が左クランプアーム３０と右クランプアーム４０とを逆方向に回転させ、これによって、第１挟持部３２と第２挟持部４２は互いに接近し、携帯電話をクランプすることを実現する。
【００１９】
本実施形態において、第１挟持部３２と第２挟持部４２は両方ともＵ型挟持ブロックである。Ｕ型挟持ブロックのＵ型溝は、携帯電話の側縁部に適合し、より安定的にクランプする。Ｕ型挟持ブロックに、携帯電話を保護するためのクッションを配置してもよい。もちろん、第１挟持部３２と第２挟持部４２は、ローラであってもよく、ローラはゴムローラであってもよい。その場合、緩衝作用を有するので、携帯電話を保護しクランプすることもできる。
【００２０】
さらに、第１接続ロッド５１の一端は、左クランプロッド３１に回転可能に取り付けられており、他端には、プルロッド２０に回転可能に取り付けられた第１ギア６１が設けられている。第２接続ロッド５２の一端は、右クランプロッド４１に回転可能に取り付けられており、他端には、プルロッド２０に回転可能に取り付けられ、第１ギアと噛合した第２ギア６２が設けられている。第１ギア６１と第２ギア６２との相互噛合により、左クランプロッド３１と右クランプロッド４１とを同期して回転させられるだけでなく、左クランプロッド３１と右クランプロッド４１の揺れを軽減できる。第１接続ロッド５１の長さと第２接続ロッド５２の長さは同じであり、左クランプロッド３１の長さと右クランプロッド４１の長さは同じである。プルロッド２０が一定距離を移動したとき、左クランプロッド３１の回転角度と右クランプロッド４１の回転角度は同じであり、第１挟持部３２と第２挟持部４２が同時に携帯電話をクランプすることを実現する。
【００２１】
左クランプロッド３１と右クランプロッド４１が交差して位置決め軸１１に取り付けられているため、左クランプロッド３１は右クランプロッド４１よりもベース１０に近い位置にある。通常の場合、第１挟持部３２と第２挟持部４２が同一平面上になく、携帯電話をクランプすることに不利である。したがって、第１挟持部３２が取り付けられている、左クランプロッド３１の一端は、ベース１０から離れる方向に折り曲げられており、第２挟持部４２が取り付けられている、右クランプロッド４１の一端は、ベース１０に接近する方向に折り曲げられている。これによって、第１挟持部３２と第２挟持部４２が同一平面上に位置するようになり、携帯電話をクランプすることに有利である。
【００２２】
プルロッド２０は、ベース１０に取り付けられていないため、揺れが発生する。この問題を解決するために、以下の技術的解決手段を採用する。携帯電話用重力式ホルダは、第３接続ロッド５３と第４接続ロッド５４と第５接続ロッド５５と第６接続ロッド５６とをさらに含んでいる。第３接続ロッド５３の一端には、ベース１０に回転可能に取り付けられた第３ギア６３が設けられている。第３接続ロッド５３の他端は、第４接続ロッド５４の一端に回転可能に接続されている。第４接続ロッド５４の他端には、プルロッド２０に回転可能に取り付けられた第４ギア６４が設けられている。第５接続ロッド５５の一端には、プルロッド２０に回転可能に取り付けられ第４ギア６４と噛合した第５ギア６５が設けられている。第５接続ロッド５５の他端は、第６接続ロッド５６の一端に回転可能に接続されている。第６接続ロッド５６の他端には、ベース１０に回転可能に取り付けられ第３ギア６３と噛合した第６ギア６６が設けられている。第５ギア６５と第４ギア６４が噛合しており、第６ギア６６と第３ギア６３が噛合していることによって、プルロッド２０は、左右に揺れることなく、上下にしか移動できないため、全体の安定性が大きく向上している。
【００２３】
本実施形態において、第３接続ロッド５３、第４接続ロッド５４、第５接続ロッド５５及び第６接続ロッド５６は長さが同じであり、プルロッド２０が直線に沿って上下移動することを保証する。
【００２４】
プルロッド２０は、固定板２１と携帯電話を受けるための受け部２２とを含んでいる。固定板の一方の側には、第４接続ロッド５４と第５接続ロッド５５が回転可能に取り付けられている。受け部２２は、固定板２１と共に移動できるように、固定板２１の他方の側に取り付けられている。構造をコンパクトにし、互いに干渉しないように、第１接続ロッド５１と第２接続ロッド５２も固定板の他方の側に回転可能に取り付けられている。携帯電話の長さを考慮し、図３において、固定板２１は短板にしている。もちろん、固定板２１は長板であってもよく、実際の需要に応じて決定されてよい。
【００２５】
さらに、携帯電話用重力式ホルダは、ベース１０とプルロッド２０にそれぞれ接続された弾性復元部（図示せず）をさらに含んでいる。使用時、携帯電話を受け部２２に置き、プルロッド２０は携帯電話の重力作用で下方向に移動し、第１接続ロッド５１を介して左クランプロッド３１を時計回りに回転させ、それと同時に、第２接続ロッド５２を介して右クランプロッド４１を反時計回りに回転させ、これによって、第１挟持部３２と第２挟持部４２は互いに接近し、携帯電話をクランプする。携帯電話を取り出した後、プルロッド２０は弾性復元部の作用で上方向に移動し、第１接続ロッド５１を介して左クランプロッド３１を反時計回りに回転させ、それと同時に、第２接続ロッド５２を介して右クランプロッド４１を時計回りに回転させ、これによって、第１挟持部３２と第２挟持部４２は互いに離れ、初期状態に戻り、携帯電話が次回に配置されるのを待機する。図３に示すように、初期状態では、左クランプロッド３１と右クランプロッド４１は同一直線上に位置し、第１挟持部３２と第２挟持部４２とはもっとも遠くに離れている。弾性復元部は、好ましくはばねである。
【００２６】
実際の製造において、ベース１０はハウジングであってもよく、左クランプロッド３０及び右クランプロッド４０とプルロッド２０はハウジングの外側にまで延在してもよい。携帯電話はハウジングに寄りかかるように接触することによって、クランプされやすく、使用しやすい。
【００２７】
上記実施形態は、本考案の技術的解決手段を説明するためのものであって、本考案を限定するものではない。当業者は、上記の実施形態に記載されている技術的解決手段を修正し、又は部分的な技術的特徴に対し同等置換を行うことが可能である。ただし、これらの修正や置換はすべて本考案の請求項の保護範囲内に含まれるべきである。
【図１】
0003232909.tif 000003
【図２】
0003232909.tif 000004
【図３】
0003232909.tif 000005
【手続補正書】
【提出日】令和3年2月26日(2021.2.26)
【手続補正１】
【補正対象書類名】実用新案登録請求の範囲
【補正対象項目名】全文
【補正方法】変更
【補正の内容】
【実用新案登録請求の範囲】
【請求項１】
ベースと、携帯電話を受けるためのプルロッドと、携帯電話をクランプするための左クランプアーム及び右クランプアームとを含んでおり、前記ベースには位置決め軸が設けられており、前記左クランプアームは、左クランプロッドと携帯電話をクランプするための第１挟持部とを含んでおり、前記左クランプロッドの一端には、前記第１挟持部が回転可能に取り付けられており、前記左クランプロッドの他端は前記プルロッドに動力が伝わるように接続されており、前記右クランプアームは、右クランプロッドと携帯電話をクランプするための第２挟持部とを含んでおり、前記右クランプロッドの一端には、前記第２挟持部が回転可能に取り付けられており、前記右クランプロッドの他端は前記プルロッドに動力が伝わるように接続されており、前記左クランプロッド及び前記右クランプロッドは交差して、前記位置決め軸に回転可能に取り付けられており、携帯電話の重力作用によって、前記プルロッドが前記左クランプロッドと前記右クランプロッドを逆方向に回転させ、前記第１挟持部と前記第２挟持部が同時に携帯電話をクランプすることを特徴とする携帯電話用重力式ホルダ。
【請求項２】
前記左クランプロッドの前記第１挟持部から離れている一端は、第１接続ロッドを介して前記プルロッドに可動に取り付けられており、前記右クランプロッドの前記第２挟持部から離れている一端は第２接続ロッドを介して前記プルロッドに可動に取り付けられていることを特徴とする請求項１に記載の携帯電話用重力式ホルダ。
【請求項３】
前記第１接続ロッドの一端は回転可能に前記左クランプロッドに取り付けられており、他端には、前記プルロッドに回転可能に取り付けられた第１ギアが設けられており、前記第２接続ロッドの一端は回転可能に前記右クランプロッドに取り付けられており、他端には、前記プルロッドに回転可能に取り付けられ前記第１ギアと噛合した第２ギアが設けられていることを特徴とする請求項２に記載の携帯電話用重力式ホルダ。
【請求項４】
前記第１接続ロッドの長さと前記第２接続ロッドの長さが同じであり、前記左クランプロッドの長さと前記右クランプロッドの長さが同じであることを特徴とする請求項２に記載の携帯電話用重力式ホルダ。
【請求項５】
前記第１挟持部と前記第２挟持部は、両方ともローラ又はＵ型挟持ブロックであることを特徴とする請求項２に記載の携帯電話用重力式ホルダ。
【請求項６】
前記左クランプロッドは前記右クランプロッドよりも前記ベースに近い位置にあり、前記第１挟持部が取り付けられた、前記左クランプロッドの一端は、前記ベースから離れる方向に折り曲げられており、前記第２挟持部が取り付けられた、前記右クランプロッドの一端は、ベースに接近する方向に折り曲げられており、前記第１挟持部と前記第２挟持部が同一平面上に位置していることを特徴とする請求項２に記載の携帯電話用重力式ホルダ。
【請求項７】
前記携帯電話用重力式ホルダは、前記ベースと前記プルロッドにそれぞれ接続された弾性復元部をさらに含んでおり、携帯電話の重力作用で、前記プルロッドが下方向に移動し、携帯電話を取り出した後、前記弾性復元部の作用で前記プルロッドが上方向に移動することを特徴とする請求項１に記載の携帯電話用重力式ホルダ。
【請求項８】
前記携帯電話用重力式ホルダは、第３接続ロッドと第４接続ロッドと第５接続ロッドと第６接続ロッドとをさらに含んでおり、前記第３接続ロッドの一端には、前記ベースに回転可能に取り付けられた第３ギアが設けられており、前記第３接続ロッドの他端は、前記第４接続ロッドの一端に回転可能に接続されており、前記第４接続ロッドの他端には、前記プルロッドに回転可能に取り付けられた第４ギアが設けられており、前記第５接続ロッドの一端には、前記プルロッドに回転可能に取り付けられ前記第４ギアと噛合した第５ギアが設けられており、前記第５接続ロッドの他端は、前記第６接続ロッドの一端に回転可能に接続されており、前記第６接続ロッドの他端には、前記ベースに回転可能に取り付けられ前記第３ギアと噛合した第６ギアが設けられていることを特徴とする請求項１〜７のいずれか１項に記載の携帯電話用重力式ホルダ。
【請求項９】
前記第３接続ロッドと前記第４接続ロッドと前記第５接続ロッドと前記第６接続ロッドとは、長さが同じであることを特徴とする請求項８に記載の携帯電話用重力式ホルダ。
【請求項１０】
前記プルロッドは、固定板と携帯電話を受けるための受け部とを含んでおり、前記固定板の一方の側には、前記第４接続ロッドと前記第５接続ロッドが回転可能に取り付けられており、前記固定板の他方の側には、前記受け部が取り付けられていることを特徴とする請求項９に記載の携帯電話用重力式ホルダ。
【手続補正２】
【補正対象書類名】明細書
【補正対象項目名】０００５
【補正方法】変更
【補正の内容】
【０００５】
さらに、左クランプアームは、左クランプロッドと携帯電話をクランプするための第１挟持部とを含む。左クランプロッドの一端には、第１挟持部が回転可能に取り付けられ、左クランプロッドの他端は、第１接続ロッドを介してプルロッドに可動に取り付けられる。右クランプアームは、右クランプロッドと携帯電話をクランプするための第２挟持部とを含む。右クランプロッドの一端には、第２挟持部が回転可能に取り付けられ、右クランプロッドの他端は、第２接続ロッドを介してプルロッドに可動に取り付けられる。
【手続補正３】
【補正対象書類名】明細書
【補正対象項目名】００１８
【補正方法】変更
【補正の内容】
【００１８】
さらに、左クランプアーム３０は、左クランプロッド３１と、携帯電話をクランプするための第１挟持部３２とを含んでいる。第１挟持部３２は、左クランプロッド３１の一端に回転可能に取り付けられている。左クランプロッド３１の他端は、第１接続ロッド５１を介してプルロッド２０に可動に取り付けられている。右クランプアーム４０は、右クランプロッド４１と、携帯電話をクランプするための第２挟持部４２とを含んでいる。第２挟持部４２は、右クランプロッド４１の一端に回転可能に取り付けられている。右クランプロッド４１の他端は、第２接続ロッド５２を介してプルロッド２０に可動に取り付けられている。携帯電話の重力作用により、プルロッド２０が左クランプアーム３０と右クランプアーム４０とを逆方向に回転させ、これによって、第１挟持部３２と第２挟持部４２は互いに接近し、携帯電話をクランプすることを実現する。